(57)【要約】 【課題】  衝撃がキャディーバッグの上方向、又は横方向から加わったとしても衝撃を吸収できるようにすることによって姿勢を安定的に保持できるようにしたキャディーバッグを提供する。【解決手段】  上側からゴルフクラブが出し入れされるキャディーバッグ本体２の底部にボトム本体３を設け、該ボトム本体３の側面から側方へ突出する脚を設けたキャディーバッグ１であって、  前記脚６はエラストマーで形成され、前記脚６の先端側は前記ボトム本体３から分離していることを特徴とするキャディーバッグである。【選択図】  図２
2010246825.tif 000002
【特許請求の範囲】
【請求項１】
上側からゴルフクラブが出し入れされるキャディーバッグ本体の底部にボトム本体を設け、該ボトム本体の側面から側方へ突出する脚を設けたキャディーバッグであって、
前記脚はエラストマーで形成され、前記脚の先端側は前記ボトム本体から分離していることを特徴とするキャディーバッグ。
【請求項２】
前記脚は、基部と脚部とから構成され、基部が前記ボトム本体の側面に取り付けられたことを特徴とする請求項１に記載のキャディーバッグ。
【請求項３】
前記脚は、基部と脚部とからＶ字状又はＵ字状に形成され、該脚は逆Ｖ字状又は逆Ｕ字状になるように基部が前記ボトム本体の側面に取り付けられたことを特徴とする請求項１に記載のキャディーバッグ。
【請求項４】
前記ボトム本体と脚は二材成形で一体化されていることを特徴とする請求項１乃至請求項３の何れか１項に記載のキャディーバッグ。
【請求項５】
前記ボトム本体の底面には、該底面から下方へ突出する補助脚を設け、該補助脚の下方への突出長さは前記脚の下方への突出長さよりも短い長さであることを特徴とする請求項１乃至請求項４の何れか１項に記載のキャディーバッグ。
【請求項６】
前記脚は、前記ボトム本体の周方向に並設され且つ前記ボトム本体の側方へ突出する二つの第１脚を有し、該各第１脚の突出方向の長さは、周方向の一側から他側へ向けて徐々に短くなる形態に形成されると共に、これら二つの第１脚は、その前記一側同士が互いに隣同士になるように配置されたことを特徴とする請求項１乃至請求項５の何れか１項にキャディーバッグ。
【請求項７】
キャディーバッグ本体の底部に設けられたボトム本体の側面から側方へ突出し、且つエラストマーで形成されていると共にその先端側が該ボトム本体から分離している第２脚を備え、該第２脚の突出方向の長さは、周方向の一側から他側へ向けて同一であることを特徴とする請求項６に記載のキャディーバッグ。
【請求項８】
前記二つの第１脚の間に前記第２脚を設け、第２脚の突出方向の先端が、二つの突出角部同士を結ぶ直線上に存在することを特徴とする請求項７に記載のキャディーバッグ。
【請求項９】
前記脚は、その突出方向の長さが、周方向の一側から他側へ向けて同一である形態の脚で構成されると共に該脚はボトム本体の周方向へ向けて三つ並設し、中央の脚の突出方向を基準としてこれら三つの脚の当該突出方向における先端は互いに同一直線上に位置していることを特徴とする請求項１乃至請求項５の何れか１項に記載のキャディーバッグ。
【発明の詳細な説明】
【技術分野】
【０００１】
本発明はキャディーバッグに係り、特に、キャディーバッグの転倒防止に関する発明である。
【背景技術】
【０００２】
ゴルファーが、把持していたキャディーバッグを地面に置いた際、その際の反動によって、図２０に示すように、キャディーバッグ１００が前後に揺れ易く、揺れが過大になった際にはキャディーバッグ１００が転倒する場合がある。又、キャディーバッグは傾斜した地面や凹凸のある地面に置かれた場合に、傾いて転倒し易いという問題もあった。
【０００３】
特許文献１には、キャディーバッグに不用意に加わった外力を吸収できるようにした発明が記載されている。
【先行技術文献】
【特許文献】
【０００４】
【特許文献１】特開２００７−２８９５８７号公報
【０００５】
特許文献１に記載の発明は、キャディーバッグのボトム体が、上層、中層、下層の３層構造になり、中層は上層及び下層よりも軟質の素材で形成することで、外力を吸収するようにした発明である。
【発明の開示】
【発明が解決しようとする課題】
【０００６】
しかし、特許文献１に記載の発明は、キャディーバッグに真上から加わった外力を吸収できるとしても、キャディーバッグの前後方向又は横方向の揺れを吸収して減衰させることは構造上、困難である。
【０００７】
このため、特許文献１は、前述のように、ゴルファーが、把持していたキャディーバッグを地面においた際の揺れを吸収して減衰させることは困難であるため、キャディーバッグが転倒し易いという従来の問題を解決できるものではなかった。
【０００８】
本発明は前記背景技術の問題点に鑑みてなされたもので、その目的は、キャディーバッグに真上から加わる外力を効率よく吸収し、更に、前後方向、横方向の揺れを効率よく吸収して減衰させることによって、姿勢を安定的に保持できるようにしたキャディーバッグを提供することにある。
【課題を解決するための手段】
【０００９】
請求項１に記載の発明は、上側からゴルフクラブが出し入れされるキャディーバッグ本体の底部にボトム本体を設け、該ボトム本体の側面から側方へ突出する脚を設けたキャディーバッグであって、
前記脚はエラストマーで形成され、前記脚の先端側は前記ボトム本体から分離していることを特徴とするものである。
【００１０】
請求項２に記載の発明は、請求項１に記載の発明において、脚が基部と脚部とから構成されて、基部がボトム本体の側面に取り付けられていることを特徴とするものである。
【００１１】
請求項３に記載の発明は、請求項１に記載の発明において、前記脚は、基部と脚部とからＶ字状又はＵ字状に形成され、該脚は逆Ｖ字状、又は逆Ｕ字状になるように基部が前記ボトム本体の側面に取り付けられたことを特徴とするものである。
【００１２】
請求項４に記載の発明は、請求項１乃至請求項３の何れか１項に記載の発明において、前記ボトム本体と脚は二材成形で一体化されていることを特徴とするものである。
【００１３】
請求項５に記載の発明は、請求項１乃至請求項４の何れか１項に記載の発明において、前記ボトム本体の底面には、該底面から下方へ突出する補助脚を設け、該補助脚の下方への突出長さは前記脚の下方への突出長さよりも短い長さであることを特徴とするものである。
【００１４】
請求項６に記載の発明は、請求項１乃至請求項５の何れか１項に記載の発明において、前記脚は、前記ボトム本体の周方向に並設され且つ前記ボトム本体の側方へ突出する二つの第１脚を有し、該各第１脚の突出方向の長さは、周方向の一側から他側へ向けて徐々に短くなる形態に形成されると共に、これら二つの第１脚は、その前記一側同士が互いに隣同士になるように配置されたことを特徴とするものである。
【００１５】
請求項７に記載の発明は、請求項６に記載の発明において、キャディーバッグ本体の底部に設けられたボトム本体の側面から側方へ突出し、且つエラストマーで形成されていると共にその先端側が該ボトム本体から分離している第２脚を備え、該第２脚の突出方向の長さは、周方向の一側から他側へ向けて同一であることを特徴とするものである。
【００１６】
請求項８に記載の発明は、請求項７に記載の発明において、前記二つの第１脚の間に前記第２脚を設け、これら第１脚と第２脚の突出方向の先端は互いに同一線上に位置していることを特徴とするものである。
【００１７】
請求項９に記載の発明は、請求項１乃至請求項５の何れか１項に記載の発明において、前記脚は、その突出方向の長さが、周方向の一側から他側へ向けて同一である形態の脚で構成されると共に該脚はボトム本体の周方向へ向けて三つ並設し、中央の脚の突出方向を基準としてこれら三つの脚の当該突出方向の先端は互いに同一直線上に位置していることを特徴とするものである。
【発明の効果】
【００１８】
請求項１に記載の発明によれば、脚がエラストマーで形成されて、脚が軟質であるために、キャディーバッグに加わった外力は、軟質の脚が変形しながら吸収して減衰することができるためにキャディーバッグの転倒が防止される。又、脚がボトム本体の側面から外方へ突出するように設けられた構造である上に、脚の先端がボトム本体から分離しているために、構造上、脚が外力によって自由に撓むことができる。その結果、脚が自由に撓むことで外力を吸収して外力を効率よく減衰させることができるために、キャディーバッグの転倒を防止でき、キャディーバッグの姿勢を安定的に保持することができる。更に、前述のように、脚は、その先端がボトム本体から分離し、且つ、軟質のエラストマーで成形されているために、脚は外力の作用する部分が部分的に徐々に撓むように変形しながら外力を吸収して減衰させることができる。このように、脚は、加わった外力によって撓むように変形しながら外力を吸収して減衰させることができるために、ゴルファーがキャディーバッグを地面に置いた際の反動による外力を吸収して減衰させることによって、キャディーバッグを安定した姿勢に保持することができる。又、キャディーバッグを傾斜した地面や凹凸のある地面に置いた際のキャディーバッグの傾きを脚が変形しながら受け止めることによって、キャディーバッグを安定した姿勢に復帰させて保持することができる。
【００１９】
請求項２に記載の発明によれば、請求項１に記載の効果を奏することができる上に、脚が基部と脚部とから構成されて、基部がボトム本体の側部に取り付けられる構成であるために、脚がボトム本体の側部に強固に取り付けられる。
【００２０】
請求項３に記載の発明によれば、請求項１に記載の効果を奏することができる上に、脚が基部と脚部とから略Ｖ字状、又は略Ｕ字状に形成されて、基部がボトム本体の側部に取り付けられる。このために、脚は、基部自体の長さに亘って、ボトム本体に強固に取り付けられる。
【００２１】
請求項４に記載の発明によれば、請求項１乃至３の何れか１項に記載の効果を奏することができる上に、ボトム本体と脚とを二材成形する際、脚の基部の一部がボトム本体に融着することによって、ボトム本体と脚とを強固に一体化させることができる。
【００２２】
請求項５に記載の発明によれば、請求項１乃至３の何れか１項に記載の効果を奏することができる上に、キャディーバッグに加わった外力は脚と補助脚とによって受け止めることができる。このように、外力が脚と補助脚とに分散するために、当該外力が長時間に亘ってキャディーバッグに加わった場合でも、脚自体に加わる外力の大きさが減少することで、脚は塑性することなく、脚としての機能を維持することができる。
【００２３】
請求項６に記載の発明によれば、請求項１乃至請求項５の何れか１項に記載の効果を奏することができる上に、互いに隣同士に設けられた二つの第１脚の突出角部がボトム本体の外方へ突出することで、キャディーバッグに加わった外力を受け止めて減衰させることができるために、キャディーバッグの姿勢を安定的に保持することができる。
【００２４】
請求項７に記載の発明によれば、請求項６に記載の効果を奏することができる上に、キャディーバッグに加わった外力は、第２脚によっても受け止めることができる。
【００２５】
請求項８に記載の発明によれば、請求項７に記載の効果を奏することができる上に、キャディーバッグに加わった外力は、第１脚と第２脚とによって受け止めることができる。
【００２６】
請求項９に記載の発明によれば、請求項１乃至請求項６の何れか１項に記載の効果を奏することができる上に、キャディーバッグに加わった外力は、三つ並んだ脚によって受け止めることができる。
【図面の簡単な説明】
【００２７】
【図１】図１は、キャディーバッグの正面図である。
【図２】図２は、ボトムの側断面図である。
【図３】図３は、作用を説明する、ボトムの側断面図である。
【図４】図４は、比較例の作用を説明する、ボトムの側面図である。
【図５】図５は、第１実施形態の変形例を示す、ボトムの底面図である。
【図６】図６は、ボトムの斜視図である。（第２実施形態）
【図７】図７は、ボトムの平面図である。（第２実施形態）
【図８】図８は、第２実施形態の作用を説明する図である。
【図９】図９は、第２実施形態の作用を説明する図である。
【図１０】図１０は、ボトム本体の斜視図である。
【図１１】図１１は、ボトムの斜視図である。（第３実施形態）
【図１２】図１２は、ボトムの平面図である。（第３実施形態）
【図１３】図１３は脚の角度を示す図である。
【図１４】図１４は脚の厚さを示す図である。
【図１５】図１５は、実験結果の図表を示す。
【図１６】図１６は、実験結果の図表を示す。
【図１７】図１７は、図１２の変形例を示す。
【図１８】図１８は、ボトムの斜視図である。（第４実施形態）
【図１９】図１９は、ボトムの平面図である。（第４実施形態）
【図２０】図２０は背景技術のキャディーバッグを示す図である。
【発明を実施するための形態】
【００２８】
図１乃至図３は第１実施形態を示す。図１に示すように、この第１実施形態に係るキャディーバッグ１は、上側からゴルフクラブが出し入れされるキャディーバッグ本体２と該キャディーバッグ本体２の底部に設けられたボトム本体３を備えている。
【００２９】
図２に示すように、前記ボトム本体３は、底部４と、該底部４の周縁から上方へ向けて延設された側部５とから構成されている。該底部４はボトム本体３の底としての機能を有するものであって、その形態は限定されないが、例えば、円盤状に形成されることができる。又、側部５は前記底部４から上方へ向けて延設されるものであれば、その形態は限定されないが、例えば、円筒状に形成されることができる。
【００３０】
図２に示すように、前記ボトム本体３の側部５の高さ方向の途中からは脚６が設けられている。該脚６は、エラストマーで成形されている。エラストマーには、ウレタン系熱可塑性エラストマー、ポリオレフィン系熱可塑性エラストマー、ポリエステル系熱可塑性エラストマー、ポリアミド系熱可塑性エラストマーがある。特に、前記ウレタン系熱可塑性エラストマーは、温度変化に対応することができ、常に安定して高い曲げ弾性を維持できるという利点を有し、又、前記ポリオレフィン系熱可塑性エラストマーは流動性が良く成形し易いという利点を有しているために、本実施形態の脚を成形する素材としては最適である。
【００３１】
該脚６は、前記ボトム本体３の側部５から径方向の外方へ突出するものであって、且つ、斜め下方へ向けて突出するようにボトム本体３の側部５に設けられ、該脚６は前記ボトム本体３の底部４よりも下方へ達して、その先端側は接地部７となっている。
【００３２】
前述のように、脚６は、ボトム本体３の側部５から外方へ突出するように設けられるものであって、例えば、図２に示すように、基部８と脚部９とから略Ｖ字状又は略Ｕ字状に形成され、略逆Ｖ字状、又は略逆Ｕ字状になるように前記基部８が前記ボトム本体３の側部５に取り付けられるようにして設けられることができる。ここで、基部８の長さと脚部９の長さとが互いに異なっている形態の場合にも略Ｖ字又は略Ｕ字状を成す形態であるとする。前記脚部９は、下面が凹面で、上面が凸面となるように湾曲した形態に形成されることができる。
【００３３】
次ぎに、作用について説明する。図２において、先ず、キャディーバッグ１に対する外力Ｆ１が真上から加わる場合について説明する。外力Ｆ１が小さい場合には、脚６がエラストマーで成形されているために、図中、一点鎖線で示すように、脚６が撓むように変形しながら外力Ｆ１を吸収すると共に、該脚の復元力によって、キャディーバッグ１の姿勢が元の姿勢に復帰することができるために、キャディーバッグの姿勢が安定的に保持される。
【００３４】
次ぎに、キャディーバッグ１の真上から、図３に示すように、大きな外力Ｆ２がキャディーバッグ１に加わった場合には、脚６が同図３中、一点鎖線で示すように、撓むと共にボトム本体３の底部４が地面Ｇに接地することによって、ボトム本体３の底部４と脚６とで外力Ｆ２を受け止めてキャディーバッグ１の転倒が防止されてキャディーバッグ１の姿勢が安定的に保持される。
【００３５】
又、図２に示すように、前後方向、又は横方向から外力Ｆ３がキャディーバッグ１に加わったとする。ここで、キャディーバッグ１のハンドルＸ（図１に示す）側を前部とし、その反対側を後部とし、ハンドルＸ（図１に示す）側とその反対側とを結ぶ直線に直交する方向を横方向とする。
【００３６】
そして、前述のように、前後方向、又は横方向から外力Ｆ３がキャディーバッグ１に加わってキャディーィバッグ１が傾いた場合には、当該外力Ｆ３の加わる側とは反対側の脚６が撓みながら当該外力Ｆ３を吸収すると共に、脚６の復元力によってキャディーバッグ１が元の姿勢に戻されることでキャディーバッグ１の転倒が防止される。
【００３７】
又、図２に示すように、脚６が撓むことで、脚部９の接地部７と、ボトム本体３の側面との間の距離Ｎが広がって、キャディーバッグ１の底が実質的に広がることになるために、キャディーバッグ１が転倒し難くなる。換言すれば、キャディーバッグ１の転倒制限角度が大きくなる。ここで、転倒制限角度とは、キャディーバッグ１が転倒する時のキャディーバッグ１の最大の傾きをいう。
【００３８】
更に、脚６がエラストマーで成形されて軟質であって、脚６が荷重を受けた際に撓みながら荷重を吸収して荷重を減衰させるようにして受け止めた後に、脚６の復元力によってキャディーバッグ１は反対側へゆっくりと押し戻されるようにして元の直立した姿勢に復帰できるものであって、キャディーバッグ１は脚６で跳ね返るようにして元の姿勢に復帰するのではない。このように、キャディーバッグ１が横方向からの外力を受けた際に、脚６はキャディーバッグ１を反対側へ跳ね返らせないために、キャディーバッグ１は揺れを反復させることなく、元の姿勢にスムーズに復帰して静止することができる。
【００３９】
又、キャディーバッグ１内に多数のゴルフクラブが収納された状態で長時間が経過するように、長時間に亘ってキャディーバッグ１に大きな荷重が加わり続ける場合には、図３に示すように、脚６が撓むと共にボトム本体３の底部４が地面Ｇに接地するために、脚６の限界状態まで脚６を変形させるような大きな荷重が脚に加わり続けることがない。このように、脚６のみに大きな荷重が加わり続けることがないために、脚６が塑性することなく脚６としての機能を維持し続けることができる。
【００４０】
即ち、仮に、図４に示すように、脚１００がボトム本体３の底部に設けられている場合には、キャディーバッグ１に加わる荷重は脚１００のみが受け止める構造になるために、脚１００の限界以上の荷重がキャディーバッグ１に加わり続けた場合には、脚１００は塑性し易くなる。しかし、前述のように、本実施形態の場合には、脚６がボトム本体３の側部５に設けられているために、脚６が一定以上変形した場合には、ボトム本体３の底部４が地面Ｇに接地することになって、脚６の限界状態まで脚６を変形させるような大きな荷重が脚６に加わることがなく、脚６は塑性しない。
【００４１】
又、図５に示すように、ボトム本体３の底部４の裏面に下方へ向けて突出するように補助脚Ｈを設けることも可能である。図５はボトム本体３の底面図である。当該補助脚Ｈは、前記脚６の下方への突出長さよりも短く形成されるものであって、前記脚６の下方への突出長さよりも、約１ミリメートル程度短く形成されることが好ましい。同図５に示すように、前記補助脚Ｈと脚６とはボトム本体３の周方向に沿って交互に設けることが好ましい。
【００４２】
図６及び図７は、第２実施形態を示す。この第２実施形態の特徴は、ボトム本体３の側部５に二つの第１脚１０と三つの第２脚１１とを設けた点にある。
【００４３】
第１脚１０は、前記ボトム本体３の側部５の高さ方向の途中から外方へ突出するように設けられている。該第１脚１０は、エラストマーで成形されている。該第１脚１０は、外方への突出であって、且つ、斜め下方へ向けて突出するようにボトム本体３の側部５に設けられ、該第１脚１０の先端側は接地部１２となっている。該第１脚１０は、図７に示すように、上方から観た場合、ボトム本体３の側部５から側方へ向けて放射状に突出するように設けられることができる。
【００４４】
前述のように、第１脚１０は、ボトム本体３の側部５から外方へ突出するように設けられるものであって、例えば、図２に示すように、第１脚１０は、基部８と脚部９とから断面が略Ｖ字状又は略Ｕ字状に形成され、断面が略逆Ｖ字状、又は略逆Ｕ字状になるように前記基部８が前記ボトム本体３の側部５に取り付けられるようにして設けられることができる。ここで、基部８の長さと脚部９の長さとが互いに僅かに異なっている場合にも略Ｖ字又は略Ｕ字状であるとする。第１脚１０の以上の点については、第１実施形態の脚６と同様である。
【００４５】
図７に示すように、前記第１脚１０は、外方への突出長さが、突出角部１３から周方向の他側へ向けて徐々に短くなる形態であって後退角部１４の突出長さが最も短くなり、且つ、二つの第１脚１０はその突出角部１３同士が互いに隣同士になる形態に配置されている。ここで、二つの第１脚１０の突出角部１３同士は、前記ボトム本体３の中心の同一円心上に位置して該ボトム本体３の中心から同一の距離に位置し、又、二つの第１脚１０の前記後退角部１４同士は前記ボトム本体３の中心の同一円心上に位置して、該ボトム本体３の中心から同一の距離に位置している。
【００４６】
又、前記第２脚１１は、前記ボトム本体３の側部５の高さ方向の途中から外方へ突出するように設けられている。該第２脚１１は、エラストマーで成形されている。該第２脚１１は、側方への突出であって、且つ、斜め下方へ向けて突出するようにボトム本体３の側部５に設けられ、該第２脚１１の先端側は接地部１５となっている。該第２脚１１は、図７に示すように、上方から観た場合、ボトム本体３の側部５から外方へ向けて放射状に突出するように設けることができる。
【００４７】
前述のように、第２脚１１は、ボトム本体３の側部５から側方へ突出するように設けられるものであって、例えば、図２に示すように、第２脚１１は、基部８と脚部９とから断面が略Ｖ字状又は略Ｕ字状に形成され、該第２脚１１は、断面が略逆Ｖ字状、又は略逆Ｕ字状になるように前記基部８が前記ボトム本体３の側部５に取り付けられるようにして設けられることができる。ここで、基部８の長さと脚部９の長さとが互いに僅かに異なっている場合にも略Ｖ字又は略Ｕ字状であるとする。第２脚１１の以上の点については、第１実施形態の脚６と同様である。
【００４８】
第２脚１１の先端は、周方向の一側から他側へ向けて同一の突出長さであって、当該先端は、ボトム本体３の中心の同一円心上に位置している。
【００４９】
次ぎに作用について説明する。この第２実施形態の第１脚１０と第２脚１１は、第１実施形態の脚６と同等な構成を含んでいるために、キャディーバッグ１に加わった外力を吸収してキャディーバッグ１の姿勢を安定的に保持できる点については第１実施形態と同様である上に、更に、以下の作用効果を奏する。
【００５０】
キャディーバッグ１に図７中矢示方向の外力Ｆ４が加わったとする。当該外力Ｆ４が加わったために、キャディーバッグ１が同方向へ傾こうとしたとする。しかし、この場合、右側の第１脚１０によってキャディーバッグ１を図中矢示方向へ押し返そうとする反力Ｆ５が発生し、更に、左側の第１脚１０が当該反力Ｆ５に対して反対方向に押し返す反力Ｆ６が発生する。これら反力Ｆ５、Ｆ６同士は互いに反対方向であるために、互いに打ち消し合うことで、二つの第１脚１０の突出角部１３同士を結ぶ直線Ｌに直交する方向の分力Ｆ７のみが残る。更に、ボトム本体３の中心から当該直線Ｌまでの距離が、ボトム本体３の中心からボトム本体３の周縁までの長さ以上に広がっているために、キャディーバッグ１は前記分力Ｆ７によって前記直線Ｌと直交する方向への転倒も防止される。このように、キャディーバッグ１に外力Ｆ４が加わってもキャディーバッグ１が横方向にぐらつくことがなく、キャディーバッグ１の姿勢が安定する。
【００５１】
尚、前記二つの第１脚１０は、キャディーバッグ１の前部に設けられているハンドルＸ（図１に示す）に対面する位置、つまり、ボトム本体３の後部に設けることで、特に以下の作用効果を奏することができる。
【００５２】
ゴルフプレーヤが手で所持していたキャディーバッグ１を地面に置いたとする。この場合、キャディーバッグ１は地面に置かれた際の反動で、後方へ傾き易い。しかし、前述のように、二つの第１脚１０がボトム本体３の後部側に設けられている場合には、前述のように、二つの第１脚１０の突出角部１３が後方へ突出した形態であるために、当該突出角部１３によって、キャディーバッグ１が地面に置かれた際の反動を受け止めることができて、キャディーバッグ１は転倒することなく、キャディーバッグ１の姿勢が安定する。
【００５３】
又、この第２実施形態においては、第１脚１０の後退角部１４の突出長さが短いために、当該第１脚１０が横方向へ大きく張り出すことがなく、従って、第１脚１０の存在がゴルフプレーヤの邪魔になる虞が少ない。
【００５４】
更に、図８に示すように、キャディーバッグ１のボトム本体３の一側が接地し、他側が持ち上がった状態が、図９に示すように、矢示方向（周方向）へ回転するように、外力Ｆ９が加わったとする。この場合、図９中、矢示方向へ向けて、接地する位置の脚が移動して行く。つまり、例えば、最初に、図９中、第２脚１１（Ａ）のみが接地し、他の脚が浮き上がるように、ボトム本体３が傾き、次ぎに、図９中、第２脚１１（Ｂ）のみが接地し、他の脚が浮き上がるように、ボトム本体３が傾く状態が図９中、矢示方向へ向けて続いたとする。このような場合、図９に示すように、二つの第１脚１０（Ａ）、１０（Ｂ）が接地する瞬間が到来する。この瞬間においては、右側の第１脚１０（Ａ）の突出角部１３がボトム本体３の当該回転を止めるように押し戻そうとする反力Ｆ１０を発生させる。一方、左側の第１脚１０（Ｂ）が、当該押し戻そうとする反力Ｆ１０に反する力Ｆ１１、即ち、当該回転を続けようとする力を発生させる。このため、ボトム本体３は僅かの時間、右側の第１脚１０（Ａ）が接地し、左側の第１脚１０（Ｂ）が浮き上がる状態と、右側の第１脚１０（Ａ）が浮き上がり、左側の第１脚１０（Ｂ）が接地する状態とが交互に繰り返されて、ボトム本体３が揺れるが、その後、ボトム本体３の当該回転が減衰してキャディーバッグ１が安定した状態に静止することができる。
【００５５】
次ぎに、前記ボトム本体３に脚１０、１１を設ける製造方法について説明する。ボトム本体３と脚１０、１１とは二材成形によって一体化されるように製造されることができる。二材成形する場合には、図１０に示すように、ボトム本体３の側部５に複数個の孔２０を形成する。そして、当該ボトム本体３を型内に設置した後、型とボトム本体３との間の隙間にエラスマーを流し込む。すると、エラストマーによって脚１０、１１が成形され、又、エラストマーが、ボトム本体３の孔２０から該ボトム本体３の内側へ流れ込んでボトム本体３の底部の上面の一部に広がって固まる。このようにして、図６に示すように、ボトム本体３と脚１０、１１とが一体化されるようにして製造される。前述のように、エラストマーが、ボトム本体３の孔２０から該ボトム本体３の内側へ流れ込んでボトム本体３の底部の上面の一部に広がって固まることによって、脚６がボトム本体３から容易に脱落することがない。又、高温のエラストマーがボトム本体３に接する際、脚６がボトム本体３に融着するようにして、脚６とボトム本体３が一体化するために、脚６はボトム本体３に強固に取り付けられることになる。
【００５６】
尚、以上の説明では、複数個の第２脚１１を備えた場合について説明したが、第２脚１１の何れか又は全ての第２脚１１を第１脚１０と同様な形態にすることも可能である。
【００５７】
図１１及び図１２は第３実施形態を示す。この第３実施形態は第２実施形態の変形であって、第２実施形態で説明した、二つの第１脚１０の間に第２脚１１を設けた点に第３実施形態の特徴がある。第２実施形態において説明したように、二つの第１脚１０の突出角部１３同士の間において、二つの第１脚１０の突出角部１３同士を結ぶ直線Ｌに交差する方向の外力Ｆ４を受けた場合、該直線Ｌに直交する方向のみの力Ｆ７が残る。そして、この第３実施形態においては、二つの第１脚１０と一つの第２脚１１によって、当該力を受け止めることができるために、キャディーバッグ１が当該直線Ｌに直交する方向へ転倒する現象を一層、防止することができて、キャディーバッグ１の姿勢が一層、安定する。
【００５８】
図１２は第１脚１０、第２脚１１の寸法を示す。例えば、第１脚１０の幅Ｗ１は６０ミリメートルで、後側の第２脚１１（Ａ）の幅Ｗ２は７０ミリメートルで、前側の第２脚１１（Ｂ）の幅Ｗ３は８０ミリメートルで成形されることができる。
【００５９】
又、図１３は第２脚１１の基部８と脚部９との間の角度θを示す。当該角度θは例えば、２９．７４度に成形することができる。
【００６０】
又、図１４は第１脚１０と第２脚１１の厚みＴを示す。例えば、第１脚１０と第２脚１１の厚みＴは、約７．５ミリメートルに成形することができる。
【００６１】
図１５及び１６は、第３実施形態のキャディーバッグ１に振り子を衝突させる実験をした際の結果を示す。図１５はキャディーバッグ１に振り子を衝突させることによる外力の方向と、振り子の振り上げ角度を変えながら振り子をキャディーバッグ１に衝突させてキャディーバッグ１を振動させてから振動が停止するまでの時間について、脚１０，１１をエラストマーで形成した場合と、ポリプロピレンで形成した場合とで比較した場合を示す。尚、同図中のＡ、Ｂ、Ｃ、Ｄは図１２に示される。又、前記ポリプロピレンは脚６の撓みを得ることのできない材料である。このために、本実施形態で用いられる脚６の撓みを得ることのできるエラストマーの効果を明確にするために、本実験において、エラストマーとポリプロピレンとを対比した実験をした。
【００６２】
同図１５に示す結果から判断して、脚１０，１１をエラストマーで形成した場合の方が、キャディーバッグ１はゆっくりと初期の姿勢に復帰する。このため、本実施形態のように、脚１０，１１をエラストマーで形成した場合においては、キャディーバッグ１が外力を受けて転倒しそうになってから、実際に転倒するまでの時間を長く確保できるため、この時間内にゴルフプレーヤはキャディーバッグ１を手で支えてキャディーバッグ１の転倒を防止することができる。
【００６３】
図１６は、振り子をキャディーバッグ１のハンドルＸ側（図中、Ａで示す）に衝突させてＡからハンドルＸ側（図中、Ａで示す）の反対側（図中、Ｃで示す）へ向けて外力をキャディーバッグに加えた際における振り子の初期の振り上げ角度と振り子をキャディーバッグ１に衝突させた際のキャディーバッグ１の状態を示す。同図１６に示す結果から判断して、この実施形態のように、脚１０，１１をエラストマーで形成した場合の方が、キャディーバッグ１が倒れ難いことが実証された。そして、特に、振り子の初期の振り上げ角度が５５度の場合、位置Ｃ側の脚で一旦受け止めているために、本実施形態のように、脚１０，１１をエラストマーで形成した場合の方が外力に対する吸収効果の大きいことが実証された。
【００６４】
図１７は第３実施形態の変形例であって、第２実施形態で説明したように、二つの第１脚１０と一つの第２脚１１との組み合わせをボトム本体３の前部側、即ち、ハンドルＸ（図１に示す）側にも設けた場合を示す。このように形成した場合、第３実施形態で説明したように、ゴルフプレーヤがキャディーバッグ１を地面に置いた際の反動をキャディーバッグ１が受けた場合に、当該反動はボトム本体３の前部と後部に設けられている二組の二つの第１脚１０と一つの第２脚１１との組み合わせによって受け止めることができる。
【００６５】
図１８，図１９は第４実施形態を示す。この第４実施形態の特徴は、第２脚１１を直線Ｌに沿って三つ並設した点にある。該第２脚１１が前記第３実施形態の第２脚１１と同様な構成のため、第２脚１１の構成については説明を省略する。ここで、図１９に示す中央の第２脚１１の突出方向Ｐを基準としてこれら三つの第２脚１１の当該突出方向Ｐの先端は互いに同一直線Ｌ上に位置している。中央の第２脚１１の突出長さよりも両側の第２脚１１の突出長さの方が長く形成されることで、両側の第２脚１１の先端同士を結ぶ直線Ｌ上に、中央の第２脚１１の先端が位置するように構成されている。この第４実施形態の第２脚が請求項９の脚に該当する。この第４実施形態においても以上の実施形態と同様の作用効果を奏することができる。
【符号の説明】
【００６６】
１  キャディーバッグ
２  キャディーバッグ本体
３  ボトム本体
４  底部
５  側部
６  脚
【図１】
2010246825.tif 000003
【図２】
2010246825.tif 000004
【図３】
2010246825.tif 000005
【図４】
2010246825.tif 000006
【図５】
2010246825.tif 000007
【図６】
2010246825.tif 000008
【図７】
2010246825.tif 000009
【図８】
2010246825.tif 000010
【図９】
2010246825.tif 000011
【図１０】
2010246825.tif 000012
【図１１】
2010246825.tif 000013
【図１２】
2010246825.tif 000014
【図１３】
2010246825.tif 000015
【図１４】
2010246825.tif 000016
【図１５】
2010246825.tif 000017
【図１６】
2010246825.tif 000018
【図１７】
2010246825.tif 000019
【図１８】
2010246825.tif 000020
【図１９】
2010246825.tif 000021
【図２０】
2010246825.tif 000022